【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
第１の結合部を複数の第２の結合部の一つに適合するためのアダプタであって、
該アダプタは、
コネクタであって、前記コネクタの第１の端部に配置された第１の継手及び前記コネクタの第２の端部に配置された第２の継手とを備え、前記第１の継手が、前記第１の結合部を受容するように構成され、前記第２の継手が、前記第２の結合部を受容するように構成され、前記第２の結合部が、前記第１の結合部とは異なる、コネクタと、
第１の端部及び第２の端部を有するシュラウドと、
前記コネクタに移動可能に接続され、前記第１の継手及び前記第１の結合部の周りで閉鎖可能となるように構成された、少なくとも１つの翼部と、を備え、
それにより、前記翼部及び前記コネクタが、前記シュラウド内で、前記シュラウドの前記第１の端部から前記シュラウドの前記第２の端部に向かって、前記シュラウドが前記第２の継手及び前記第２の結合部を前記シュラウド内で実質的に囲んでいる係止されていない位置から移動できるようにして、係止位置まで移動され得、前記係止位置においては、前記第１の継手及び前記第１の結合部が、前記シュラウド内に実質的に囲まれ、前記第２の継手が、前記シュラウドの前記第２の端部で少なくとも部分的に露出し、
前記係止されていない位置において、前記第２の継手にはアクセス不可能であり、前記係止位置において、前記第１の継手にはアクセス不可能であり、それにより、係止されていない状態において、前記アダプタは前記第１の結合部にのみアクセス可能であり、係止状態において、前記アダプタは前記第２の結合部にのみアクセス可能である、
アダプタ。
【請求項２】
前記第１の結合部及び第２の結合部が、大きさ、形状、タイプ、及びジェンダーから成る群から選択された少なくとも１つの特性に関して異なる、請求項１に記載のアダプタ。
【請求項３】
前記第１の継手が、雄型継手または雌型継手のうちの一方であり、前記第２の継手が、雌型継手または雄型継手のうちの他方である、請求項１に記載のアダプタ。
【請求項４】
前記第１の継手が、雌型ルアー継手であり、前記第２の継手が、雄型８０３６９−６コネクタである、請求項３に記載のアダプタ。
【請求項５】
前記第１の継手または前記第２の継手のうちの一方が、ルアー継手を含み、前記第１の継手または前記第２の継手のうちの他方が、８０３６９−６コネクタを含む、請求項１に記載のアダプタ。
【請求項６】
前記第２の継手に取り外し可能に結合されるように構成されたキャップをさらに備え、前記コネクタが前記係止位置にあるときのみ、前記キャップが、前記第２の継手から選択的に取り外され得る、請求項１に記載のアダプタ。
【請求項７】
前記少なくとも１つの翼部が、前記コネクタに移動可能に接続された２つの翼部を含み、前記第１の継手及び前記第１の結合部の周りを閉鎖するシリンダを形成するように構成される、請求項１に記載のアダプタ。
【請求項８】
前記シュラウドが、外部グリップをさらに備える、請求項１に記載のアダプタ。
【請求項９】
前記コネクタが、少なくとも１つのレッジ及び少なくとも１つのピンをさらに備え、前記シュラウドが、少なくとも１つの縦溝及び少なくとも１つの係止歯を備え、さらに、前記コネクタが前記係止位置にあるとき、前記シュラウドの前記第１の端部に向かう移動が、前記少なくとも１つの係止歯の前記少なくとも１つのレッジへの突出によって防止され、前記シュラウドの前記第２の端部に向かう移動が、前記少なくとも１つのピンの前記少なくとも１つの縦溝の突出によって防止される、請求項１に記載のアダプタ。
【請求項１０】
前記コネクタ及び前記少なくとも１つの翼部が前記シュラウド内で前記シュラウドの前記第１の端部と前記係止位置との間の位置まで移動される、中間係止位置に入るようにさらに構成され、前記第１の継手及び前記第２の継手が、前記シュラウド内に囲まれ、前記コネクタが、前記中間係止位置において、前記シュラウドの前記第１の端部に向かう移動を防止される、請求項１に記載のアダプタ。
【請求項１１】
前記コネクタが、少なくとも１つの係止スロットをさらに備え、さらに、前記コネクタが前記中間係止位置にあるとき、前記シュラウドの前記第１の端部に向かう移動が、少なくとも１つの係止歯の前記少なくとも１つの係止スロットへの突出によって防止される、請求項１０に記載のアダプタ。
【請求項１２】
前記第１の結合部が、第１の医療用チューブに結合され、前記第２の結合部が、第２の医療用チューブに結合され、前記第１の医療用チューブと前記第２の医療用チューブとの間の流体連通は、前記第１の結合部が前記第１の継手に結合され、前記係止位置が確立され、前記第２の結合部が前記第２の継手に結合されるときに確立される、請求項１に記載のアダプタ。
【請求項１３】
第１の結合部を複数の第２の結合部の一つに適合するためのアダプタであって、
該アダプタは、
コネクタであって、前記コネクタの第１の端部に配置された第１の継手及び前記コネクタの第２の端部に配置された第２の継手を備え、前記第１の継手が、前記第１の結合部を受容するように構成され、前記第２の継手が、前記第２の結合部を受容するように構成される、コネクタと、
第１の端部及び第２の端部を有するシュラウドと、
各々が前記コネクタに移動可能に接続され、前記第１の継手及び前記第１の結合部を実質的に囲むシリンダを形成するように構成された、第１の翼部及び第２の翼部と、を備え、
それにより、前記シリンダ及び前記コネクタが、前記シュラウド内で、前記シュラウドの前記第１の端部から前記シュラウドの前記第２の端部に向かって、前記シュラウドが前記第２の継手及び前記第２の結合部を前記シュラウド内で実質的に囲んでいる係止されていない位置から移動できるようにして、係止位置まで移動され得、前記係止位置においては、前記第１の継手が前記シュラウド内に囲まれ、前記第２の継手が前記シュラウドの前記第２の端部で少なくとも部分的に露出し、
前記係止されていない位置において、前記第２の継手にはアクセス不可能であり、前記係止位置において、前記第１の継手にはアクセス不可能であり、それにより、係止されていない状態において、前記アダプタは前記第１の結合部にのみアクセス可能であり、係止状態において、前記アダプタは前記第２の結合部にのみアクセス可能である、アダプタ。
【請求項１４】
第１の結合部を複数の第２の結合部の一つに適合する方法であって、
該方法は、
コネクタの第１の端部において第１の継手及び前記コネクタの第２の端部において第２の継手を備えるコネクタを提供するステップであって、前記第１の継手が前記第１の結合部を受容するように構成され、前記第２の継手が前記第２の結合部を受容するように構成された、ステップと、
第１及び第２の翼部を前記コネクタに移動可能に結合するステップであって、前記第１及び第２翼部が選択的に一緒に移動され得、前記第１の継手及び前記第１の結合部を実質的に囲むシリンダを形成する、ステップと、
第１の端部及び第２の端部を有するシュラウドを前記コネクタへ摺動可能に結合するステップであって、前記第２の継手が、前記シュラウド内に実質的に配置され、前記シリンダ及び前記コネクタが、前記シュラウド内で、前記シュラウドの第１の端部から前記シュラウドの前記第２の端部に向かって、前記シュラウドが前記第２の継手及び前記第２の結合部を前記シュラウド内で実質的に囲んでいる係止されていない位置から移動できるようにして、係止位置まで一緒に摺動され得る、ステップと、を含み、
前記係止位置においては、前記第１の継手及び前記第１の結合部が、前記シリンダ及び前記シュラウド内で実質的に囲まれ、前記第２の継手が、前記シュラウドの前記第２の端部で実質的に露出し、
前記係止されていない位置において、前記第２の継手にはアクセス不可能であり、前記係止位置において、前記第１の継手にはアクセス不可能であり、それにより、係止されていない状態において、前記アダプタは前記第１の結合部にのみアクセス可能であり、係止状態において、前記アダプタは前記第２の結合部にのみアクセス可能である、
方法。
【請求項１５】
第１の結合部を複数の第２の結合部の一つに適合するためのアダプタであって、
該アダプタは、
コネクタであって、前記第１の結合部及び前記第２の結合部をそれぞれ受容するように構成された第１の継手及び第２の継手を備え、前記第１の継手が前記コネクタの第１の端部にあり、前記第２の継手が前記コネクタの第２の端部にある、コネクタと、
前記コネクタに結合され、前記第１の継手及び前記第１の結合部の周りにシリンダを形成するよう閉鎖可能であるように構成された、１つ以上の翼部と、
第１の端部及び第２の端部、ならびに前記コネクタ及び前記シリンダが内部で摺動し回転することを可能とする大きさの内径を有する、第１のシュラウドと、
第１の端部及び第２の端部を有する第２のシュラウドであって、第１の端部で、前記第１のシュラウドの前記第２の端部に結合され、前記コネクタが内部で摺動し回転することを可能とする大きさの内径を有する、第２のシュラウドと、を備え、
それにより、前記シリンダが前記第１のシュラウドの前記第１の端部から前記第１のシュラウドの前記第２の端部へ向かって前進されると、前記コネクタが、前記第２のシュラウド内で回転し、前記第２のシュラウドの前記第２の端部へ向かって、前記第２のシュラウドが前記第２の継手及び前記第２の結合部を前記第２のシュラウド内で実質的に囲んでいる係止されていない位置から移動できるようにして、係止位置へ移動し、
前記係止位置においては、前記コネクタが、前記第１のシュラウドの前記第１の端部に向かう移動を防止され、前記第１の継手が、前記第１のシュラウド内に囲まれ、前記第２の継手が、前記第２のシュラウドの前記第２の端部で少なくとも部分的に露出し、
前記係止されていない位置において、前記第２の継手にはアクセス不可能であり、前記係止位置において、前記第１の継手にはアクセス不可能であり、それにより、係止されていない状態において、前記アダプタは前記第１の結合部にのみアクセス可能であり、係止状態において、前記アダプタは前記第２の結合部にのみアクセス可能である、
アダプタ。
【請求項１６】
前記コネクタが、前記第２のシュラウドの内面において対応する第２の螺旋状ねじ山と相互作用するように構成された第１の螺旋状ねじ山をさらに備える、請求項１５に記載のアダプタ。